(57)【要約】【課題】本考案は、数リットル程度の液体などの内容物が充填された軟質樹脂製の収容容器から他の容器へ内容物を移す場合に、該容器を安定支持することができ、取り扱い性を向上できるとともに、収容容器を安定的に起立保持できる収容容器支持体の提供を目的とする。【解決手段】本考案は、底壁と周壁と該周壁上部に形成された注出入部を備えた軟質樹脂製の収容容器を収納し、これを直立支持する軟質樹脂製の収容容器支持体であって、前記収容容器の周壁を取り囲む大きさの筒型の側壁部と、この側壁部の一側に形成された把持部と、前記筒型の側壁部の底部開口を横断するように前記側壁部の底部から一体的に延出形成された複数本の支持バンドとを備えたことを特徴とする。【選択図】図１
0003176014.tif 000002
【実用新案登録請求の範囲】
【請求項１】
底壁と周壁と該周壁上部に形成された注出入部を備えた軟質樹脂製の収容容器を収納し、これを直立支持する収容容器支持体であって、
前記収容容器の周壁を取り囲む大きさの筒型の側壁部と、この側壁部の一側に形成された把持部と、前記筒型の側壁部の底部開口を横断するように前記側壁部の底部から一体的に延出形成された複数本の支持バンドとを備えたことを特徴とする収容容器支持体。
【請求項２】
前記側壁部の上部に前記収容容器の注出入部を挿通自在な支持孔を有する係止片が突出形成され、前記収容容器を前記筒型の側壁部の内側に収容した状態において前記支持孔に前記注出入部を挿入して前記係止片を前記収容容器支持体の注出入部周りに被着自在にされたことを特徴とする請求項１に記載の収容容器支持体。
【請求項３】
前記側壁部が１枚の樹脂シートを筒型に湾曲させて該樹脂シートの端縁部を重ねて接合することにより構成され、前記樹脂シートの底部に該樹脂シートの幅方向に延在する２本のスリットが形成され、前記樹脂シートにより筒型の前記側壁部を形成した状態において、前記スリットに沿って前記樹脂シートの底部に延在する底縁部により、該側壁部の底部開口を横断するように延在される支持バンドが構成されたことを特徴とする請求項１または２に記載の収容容器支持体。
【請求項４】
前記スリットの両端内縁にアール部が形成されたことを特徴とする請求項１〜３のいずれか一項に記載の収容容器支持体。
【請求項５】
前記樹脂シートが前記収容容器を構成する軟質樹脂よりも硬質の樹脂からなり、前記樹脂シートのスリットに隣接する端縁部を前記底部開口の内側に折り返すことにより前記支持バンドが構成されたことを特徴とする請求項３または４に記載の収容容器支持体。
【請求項６】
前記樹脂シートが前記収容容器を構成する軟質樹脂よりも硬質の樹脂からなり、前記筒型の側壁部の内側に前記収容容器を挿入した状態において前記筒型の側壁部は前記収容容器を保持したまま自立可能な硬さに形成されたことを特徴とする請求項１〜５のいずれか一項に記載の収容容器支持体。
【請求項７】
前記周壁部の一側に上下に離間して対になる係止孔が形成され、これらの係止孔にハンドル部材が挿入されて前記把持部が構成されたことを特徴とする請求項１〜６のいずれか一項に記載の収容容器支持体。
【請求項８】
収容容器の周壁を取り囲む大きさの筒型の側壁部と、前記筒型の側壁部の底部開口を横断するように前記側壁部の底部から一体的に延出形成された複数本の支持バンドとを備え、軟質樹脂製の収容容器を直立支持する収容容器支持体であって、
前記側壁部の一部に、支持バンドを用いて収容容器の底部を支持する使用状態を示す表示絵柄を印刷したことを特徴とする収容容器支持体。
【考案の詳細な説明】
【技術分野】
【０００１】
本考案は、内容物を充填した軟質樹脂製の収容容器を収納および直立支持し、該容器中の内容物の取り出し等、取り扱いを容易にする収容容器支持体に関する。
【背景技術】
【０００２】
液体等の充填に用いられる軟質樹脂製の容器として、例えば、ポリエチレンやポリプロピレン等の軟質プラスチック材料からなる容器があり、このような容器は、軽量で、使用しない時は折り畳むことで収納時に大きなスペースを占有しないなど、種々の利点を有する。また、液体を充填した場合に十分な強度を有し、使用後洗浄することで繰返し使用も可能であることから、コスト的にも優れた容器として知られている。
【０００３】
しかし、液体を比較的大量に充填した軟質樹脂製の容器は、この液体を他の容器に移液する際、その液体の重さに加え、容器が軟質樹脂製であるが故に取り扱い性の悪さが生じることがある。このように軽量で、使用しない時は折り畳むことができる軟質樹脂フィルム材料からなる容器に、大量の液体を充填するものとして、経腸栄養剤や、腸管洗浄剤、飲料水などを挙げることができる。
医療分野を例にとると、手術または検査時に、前処置として被験者が洗浄剤等を服用することがあり、例えば、大腸または直腸の手術または検査の場合には、液体の腸管洗浄剤を服用して全腸管洗浄を行うことが一般的である。前処置では、このような洗浄剤を数リットル程度、大量に服用することがあり、被験者は洗浄剤が充填された軟質樹脂製容器から該洗浄剤をコップ等の容器に随時取り出して服用する。この場合、洗浄剤が充填された軟質樹脂製容器は大きく重たいものであり、取り扱いが難しく、このような容器を持ち上げ、傾斜させて、注出口から洗浄剤をコップに移液する際、大きな力が必要であるだけでなく、洗浄剤をこぼすおそれがあり、被験者にとって負担となっている。
【０００４】
そこで、例えば、洗浄剤を充填する容器の上部の縁近傍に、指数本を通せるだけの適当な大きさおよび形状の穴を穿設して取手を形成することにより、取り扱い性を向上させた軟質樹脂製容器が使用されている。しかし、このように形成した取手は、容器と同じフィルム（厚み、材質）から形成されることになるため、取手の強度が不十分になりがちであり、また、容器自体が変形し易く、不安定になり易いため、洗浄剤をコップ等に移す際に、こぼさないように両手で慎重に取り扱うことが要される。
【０００５】
従来から、大容量の液体を充填した軟質樹脂製の容器を収納し、内容物の取出性を向上させ、机上などに設置する際の直立支持を補助する支持体として、以下の特許文献１、２、３に示す構成が知られている。
【先行技術文献】
【特許文献】
【０００６】
【特許文献１】実用新案登録第３１２１８１４号公報
【特許文献２】実用新案登録第３１２２８５３号公報
【特許文献３】実用新案登録第３１３２９３７号公報
【考案の概要】
【考案が解決しようとする課題】
【０００７】
これらの特許文献に記載された容器支持体は、軟質樹脂製容器を収容し、これを直立支持する容器支持体であって、底部幅方向中央から底部両端側に向けて漸次幅を減じる平面視細長形状をなし、底部幅方向に向かって折り線が設けられた底壁部と、該底壁部の周縁から立設された側壁部とからなり、側壁部の上部開口から軟質樹脂製容器の注出入口を突出させるように支持体が構成されている。また、上述の支持体は、底壁部の幅方向一端側に外方に向けて膨出する丸形の突部を形成し、机上などにおいて容器を傾ける際、この丸形の突部を起点として容器を傾斜できるように構成されている。
ところが、前述の文献に記載されている支持体は、その側壁部の一方に取手を配置し、反対側に張り出した丸形の突部を有しているため、注ぎ口を挟んで取手と反対側に設けた突部が注ぎ時に邪魔になり易く、液体をコップに注ぐ姿勢を取り難いという問題があった。
このため、軟質樹脂製の収容容器を収容して支持し易く、収容容器の内容物を注出する際の取り扱い性に優れた収容容器支持体が望まれている。
【０００８】
本考案は上記事情に鑑みてなされたものであり、１リットル、２リットル、それ以上の比較的大量の液体などの内容物が充填された軟質樹脂製の収容容器を安定的に起立保持できるとともに、収容容器から他の容器へ内容物を移す場合に、該容器を安定支持することができ、取り扱い性を向上できる大型収容容器の支持体の提供を目的とする。
【課題を解決するための手段】
【０００９】
上記課題を解決するため、本考案は、底壁と周壁と該周壁上部に形成された注出入部を備えた軟質樹脂製の収容容器を収納し、これを直立支持する収容容器支持体であって、前記収容容器の周壁を取り囲む大きさの筒型の側壁部と、この側壁部の一側に形成された把持部と、前記筒型の側壁部の底部開口を横断するように前記側壁部の底部から一体的に延出形成された複数本の支持バンドを備えたことを特徴とする。
本考案において、前記側壁部の上部に前記収容容器の注出入部を挿通自在な支持孔を有する係止片が突出形成され、前記収容容器を前記筒型の側壁部の内側に収容した状態において前記支持孔に前記注出入部を挿入して前記係止片を前記収容容器支持体の注出入部周りに被着自在にされた構成を採用することができる。
【００１０】
本考案において、前記側壁部が１枚の樹脂シートを筒型に湾曲させて該樹脂シートの端縁部を重ねて接合することにより構成され、前記樹脂シートの底部に該樹脂シートの幅方向に延在する２本のスリットが形成され、前記樹脂シートにより筒型の前記側壁部を形成した状態において、前記スリットに沿って前記樹脂シートの底部に延在する底縁部により、該側壁部の底部開口を横断するように延在される支持バンドが構成された構成を採用できる。
本考案において、前記スリットの両端内縁にアール部が形成された構成が好ましい。
【００１１】
本考案において、前記樹脂シートが前記収容容器を構成する軟質樹脂よりも硬質の樹脂からなり、前記樹脂シートのスリットに隣接する端縁部を前記底部開口の内側に折り返すことにより前記支持バンドが構成された構成とすることが好ましい。
本考案において、前記樹脂シートが前記収容容器を構成する軟質樹脂よりも硬質の樹脂からなり、前記筒型の側壁部の内側に前記収容容器を挿入した状態において前記筒型の側壁部は前記収容容器を保持したまま自立可能な硬さに形成されたことが好ましい。
本考案において、前記周壁部の一側に上下に離間して対になる係止孔が形成され、これらの係止孔にハンドル部材が挿入されて前記把持部が構成されたことが好ましい。
本考案は、収容容器の周壁を取り囲む大きさの筒型の側壁部と、前記筒型の側壁部の底部開口を横断するように前記側壁部の底部から一体的に延出形成された複数本の支持バンドとを備え、軟質樹脂製の収容容器を直立支持する収容容器支持体であって、前記側壁部の一部に、支持バンドを用いて収容容器の底部を支持する使用状態を示す表示絵柄を印刷した収容容器支持体であっても良い。
【考案の効果】
【００１２】
本考案の支持体によれば、収容容器の周壁を筒状の側壁部で囲み、側壁部の底部開口を横断するように延在させた複数本の支持バンドで収容容器の荷重を下から支えるので、側壁部の一側に形成した把持部を手持ちすることで筒状の側壁部と複数の支持バンドに支持された収容容器を傾斜状態であっても安定支持できる。従って、液体などの収容物を収容容器の注出入口から注ぎ易く、収容容器の安定支持性に優れ、支持した収容容器の自立性にも優れた収容容器支持体を提供できる。
係止片の挿通孔に収容容器の注出入部を通して係止片を注出入部に被着することで、収容容器支持体の側壁部上端を係止片を介し収容容器の注出入部に引っ掛けて係止することができ、収容容器に対する収容容器支持体の安定支持性を高め、装着性に優れた状態を確保できる。
【００１３】
１枚の樹脂シートを筒型に湾曲させて接合することにより、筒型の側壁部を構成することができ、樹脂シートの底部に延在させたスリットに隣接する底縁部から側壁部の底部開口を横切る支持バンドを構成することができるので、１枚の樹脂シートを有効に利用して、側壁部と支持バンドを備え、収容容器を保持できる収容容器支持体を構成できる。
この前記スリットの両端部を基点として折り曲げ，側壁部の底部開口を横切る支持バンドを形成するが，液体収容容器を収納した場合にかかる応力荷重は折り曲げた基点部に集中することになるため、スリット両端内縁にアール部を形成することで応力集中を緩和し，収容容器が多量の液体を収容する重量物であったとしても、その重量を複数の支持バンドで確実に支持できる構造を実現できる。従って、支持バンドが安定支持可能な収容容器の重量も大きくできる。
前記樹脂シートを構成する樹脂が前記収容容器を構成する樹脂よりも硬質の樹脂である場合、より重量の大きな収容容器を安定支持できるとともに、収容容器を机上などに設置する場合の設置安定性を更に向上できる。
【００１４】
収容容器支持体の側壁部の一側に上下に対になる係止孔を形成し、これらの係止孔を利用しハンドル部材を挿入して抜け止めし、把持部とすることで、このハンドル部材を利用して収容容器支持体を安定保持できる構造を提供できる。
前記支持バンドによって前記収容容器の底部を支持した状態を示す表示絵柄を前記収容容器支持体の側壁部に印刷して表示しておくことで、使用者が支持バンドの扱い方を明確かつ確実に把握できる。このため、収容容器支持体に収容容器を収容し、該収容容器の荷重を支持バンドで支持する状態を確実に実現でき、使用者が容器支持体の取り扱いに迷うことがない。  
【図面の簡単な説明】
【００１５】
【図１】本考案に係る収容容器支持体で収容容器を支持した状態を示す斜視図。
【図２】同状態を底部裏面側から見た斜視図。
【図３】同状態の収容容器支持体の底部を示す斜視図。
【図４】本考案に係る収容容器支持体に収容するべき収容容器の一例を示す側面図。
【図５】本考案に係る収容容器支持体を構成するための樹脂シートの展開図。
【考案を実施するための形態】
【００１６】
以下、図面を参照しながら、本考案について詳細に説明する。
図１は本考案の第１実施形態に係る収容容器支持体に収容容器を収納して机上などに自立保持した状態を示す斜視図、図２は同状態を底面側から見た斜視図、図３は同状態を実現する収容容器支持体底部の斜視図であり、図４は図１〜図３に示す収容容器支持体に収容される収容容器の側面図である。
図４に示すように収容対象物としての収容容器２は、底壁３と周壁５と該周壁上端に形成された注出入部６を備えた軟質樹脂製のパウチ容器であり、注出入部６には硬質樹脂からなる筒部７が一体化されている。この筒部７の上部外周にはねじ部８が形成され、このねじ部８に内ネジを有するキャップ９（図１参照）が着脱自在に螺合されるようになっている。この実施形態の収容容器２は、周壁５の上部に上窄まり型の肩部５ａが形成され、肩部５ａの上端縁中央部に筒部７が基台部７Ａを介し熱溶着などの手段により取り付けられている。
【００１７】
収容容器２において底壁３と側壁５は、例えば、ポリエチレン、ポリプロピレン等のポリオレフィン、ナイロン、ポリエチレンテレフタレートなどの軟質性プラスチックからなる。収容容器２の形状は、特に限定されるものではないが、例えば、スタンディングパウチ型の収容容器を例示することができる。具体的には、ポリエチレン製２Ｌ（リットル）容量の経口腸菅洗浄剤用容器を例示できる。
なお、この実施形態では収容容器２として図４に示すスタンディングパウチ型の収容容器を示したが、図に示すものに限定されず、周壁上縁部（周壁上端周縁部）に注出入口を備えた可撓性の材質からなる従来公知の容器であれば、いずれの形状の収容容器にも適用することができる。
また、収容容器２は、上記洗浄剤等の液体収容用途の他に、粉末や粒状物などの固体、ゲル、ゾルなどを収容する用途のいずれでも良い。収容容器２は遮光が必要なものを収容する場合は遮光性の樹脂からなり、遮光が不要なものを収容する場合は透明な樹脂からなることが好ましい。
【００１８】
図１、図２に示すように液体収容容器支持体１は、上述の収容容器２を若干の隙間を介し取り囲むことができる程度の外径を有する平面視若干偏平な縦筒型の側壁部１０と、この側壁部１０の底部側の開口部１１にこの開口部１１を横断するように側壁部１０の底縁部から延出形成された２本の支持バンド１２、１２と、側壁部１０の上縁中央部に突出形成された係止片１３とから構成されている。
収容容器支持体１は、図１に示すように偏平筒型の側壁部１０の内側に収容容器２を収容し、２本の支持バンド１２、１２で収容容器２の底部を支え、係止片１３を以下に説明するように液体収容容器２の注出入部６に被着して収容容器２を取り囲むように支持している。図１では、内部に薬液などの液体を必要量充填した収容容器２を収容容器支持体１に収容した状態を示しているので、収容容器２は膨らんだ状態で描かれており、収容容器２の外周を収容容器支持体１が覆っている。
【００１９】
収容容器支持体１は、ポリエチレンテレフタレート（ＰＥＴ）、ポリプロピレン（ＰＰ）、ナイロンなどからなるが、収容容器２を構成する樹脂よりも硬質の樹脂からなり、筒型の側壁部１０が自立できる程度の固さを有することが好ましい。一例として収容容器支持体１を透明ＰＰの０．３５ｍｍ厚のシートから構成することができる。
また、収容容器支持体１を構成する樹脂は後述するように支持バンド１２、１２を折り曲げ形成した場合に、折り曲げた部分が折り曲げ形状を維持できる程度の固さと厚さの樹脂であることが好ましい。
【００２０】
収容容器支持体１の側壁部１０は、左右の折返し部１０ａを介して対向する２つの側面壁１０Ａ、１０Ｂからなる平面視若干偏平な縦筒型に形成され、一方の側面壁１０Ａの上縁中央部に係止片１３が延出形成されている。
図１に示すように係止片１３は台形状の延出片１３Ａと該延出片１３Ａの先端側に形成された長方形状の取付片１３Ｂとからなり、延出片１３Ａと取付片１３Ｂの境界部分に前記注出入部６の筒部７を挿通可能な内径の円形の挿通孔１３ａが形成されている。また、挿通孔１３ａの内周縁部にはその周回りに等間隔で４つ半円状の抜止突起１３ｃが形成されている。
【００２１】
前記係止片１３は筒型の側壁部１０の上部開口に沿って上部開口に被さるように湾曲され、係止片１３は挿通孔１３ａに収容容器２の筒部７を挿通することで筒部７に被着されている。また、取付片１３Ｂの先端部１３ｄは、対向する側面壁１０Ｂ側にまで延出され、対向位置の側面壁１０Ｂの上縁内周部に沿って折り曲げられ、固定されている。先端部１３ｄは熱溶着あるいは接着等の適切な接合手段により側面壁１０Ｂの上縁内周部に固定されている。
【００２２】
側壁部１０の底縁側に形成されている支持バンド１２は、側壁部１０の左右の折返し部１０ａの底縁側に横向きに延在された２本のスリット１５に沿って形成された底縁部を折り返すことで構成されている。前記スリット１５の両端内縁には所定曲率の半円状のアール部１５ａが形成されている。
側面壁１０Ａ、１０Ｂの底部側に形成されたスリット１５は、側面壁１０Ａ、１０Ｂの全幅のそれぞれの１／３程度をスリット型に切り抜いて形成されている。
更に詳細に説明すると、一方の折返し部１０ａ側に形成されたスリット１５において、その両端のアール部１５ａの部分から一方の折返し部１０ａに近づくように傾斜された折曲部１５ｂを介し側面壁１０Ａ、１０Ｂの底縁部１０Ａ１、１０Ｂ１を側壁部１０の底部開口を横切るように折り曲げることで一方の支持バンド１２が形成されている。また、他方の折返し部１０ａ側に形成されたスリット１５において、その両端のアール部１５ａの部分から他方の折返し部１０ａに近づくように傾斜された折曲部１５ｂを介し側面壁１０Ａ、１０Ｂの底縁部１０Ａ１、１０Ｂ１を側壁部１０の底部開口を横切るように折り曲げることで他方の支持バンド１２が形成されている。
【００２３】
前記収容容器支持体１において、一方の折返し部１０ａの上部側と下部側に、上下に対になる横長のスリット状の係止孔１７、１８が形成され、これらの係止孔１７、１８に取手型のハンドル部材１９がその両端部をそれぞれ挿通し、取り付けられている。これらのハンドル部材１９の両端部には、図示略の釣り針型の抜止部材が形成され、ハンドル部材１９が係止孔１７、１８から抜け止めされている。このハンドル部材１９が把持部を構成し、ハンドル部材１９を手持ちすることで図１に示す状態から収容容器２とともに収容容器支持体１を持ち上げて搬送することができ、更に、注出入部６を下向きにして収容容器２を傾斜させた状態で保持できるようになっている。
なお、係止孔１７、１８は折返し部１０ａを挟んで側面壁１０Ａから側面壁１０Ｂに達するように形成されているが、図１に示す例では、ハンドル部材１９を挿通するために必要な長さが側面壁１０Ｂ側で得られるように側面壁１０Ａ側での長さよりも側面壁１０Ｂ側での長さの方が大きく形成されている。これは、後述するように収容容器支持体１を１枚の平板状に折り畳む場合、ハンドル部材１９が側面壁１０Ｂ側に沿うようにするためである。
【００２４】
前記収容容器支持体１において、側面壁１０Ａの中央部に、図２に示すように収容容器２を収容した収容容器支持体１をそれらの底面側から見た状態を示す図５に示す表示絵柄２０が印刷されている。また、表示絵柄２０の内部には完成図とした説明文章が印刷されている。この表示絵柄２０を使用者が見ることで、収容容器２を収容容器支持体１で支持する状態を認識することができる。なお、図１と図２では表示絵柄２０の記載は略している。
【００２５】
以上構成の収容容器支持体１は、一例として、図５に示す１枚の樹脂シート２０を部分的に湾曲させるか折り曲げ、図１、図２に示す形状に組み立てて作製することができる。
図５に示す樹脂シート２０は、側面壁１０Ａを構成するシート部分を中央に配置し、その左右両側に側面壁１０Ｂを構成するシート部分を折返し部１０ａ、１０ａを介し配置してなる。
この樹脂シート２０を折返し部１０ａ、１０ａ部分を境界として平面視若干偏平の縦筒型に湾曲させて樹脂シート２０の両端縁２０ａ、２０ａどうしを重ね合わせ、例えば、樹脂シート２０の側面壁１０Ｂの一側端縁に区画される縦長の溶着領域２２において重ね合わせ部分を溶着することで側壁部１０として一体化することができる。また、係止片１３を側壁部１０の上部開口に位置するように折り曲げて係止片１３の先端部１３ｄを対向する側面壁１０Ｂの上端内面部に溶着することで、図１、図２に示す概形の収容容器支持体１を構成することができる。図５に示す係止片１３の先端側に係止片１３の先端部１３ｄを側面壁１０Ｂに溶着する場合の溶着領域２３を円形状領域として図示した。
【００２６】
以上のように組み付けた収容容器支持体１に対し、筒型の側壁部１０にその底面開口側から収容容器２の注出入部６を挿通し、収容容器２の全体を側壁部１０の内側に挿入し、係止片１３の挿通孔１３ａに収容容器２の筒部７を挿通することで収容容器支持体１の内部に収容容器２を収容することができる。
このように筒型の側壁部１０に収容容器２を挿入した状態では、スリット１５、１５に沿った底縁部１０Ａ１、１０Ｂ１は収容容器２の底部外面に沿って側壁部１０の一部を占める状態にされている。この状態から折曲部１５ｂ、１５ｂを介し底縁部１０Ａ１、１０Ｂ１をそれぞれ側壁部１０の底部開口を横切るように、かつ、収容した収容容器２の底面に被せるように内側向きに折り曲げることで図１、図２に示す状態の支持バンド１２を構成できる。この折り曲げ処理により、図１、図２に示すように、収容容器２を収容容器支持体１で収容した状態にすることができる。なお、支持バンド２を構成する場合、底縁部１０Ａ１、１０Ｂ１の折曲部を図３に示すように直角に曲げても良いが、収容容器２の荷重が作用すると支持バンド１２，１２は図１、図２に示すように変形しようとするのが自然なので、収容容器２の荷重を支持するという面においては図１と図２に示すように傾斜した折曲部１５ｂを介し折り曲げて支持バンド１２を構成することが好ましい。
【００２７】
図１に示す状態であるならば、机上などの設置面に直立状態の収容容器２を収容容器支持体１でもって支持できる。即ち、収容容器２の底部を２本の支持バンド１２、１２で下側から支持し、収容容器支持体１の側壁部１０の下側開口縁部を設置面に載置し、収容容器支持体１が自立することで収容容器２を直立状態に保持できる。
また、図１、図２に示すように収容容器２の底部を支持バンド１２、１２で支持した状態を図５に示す表示絵柄２０で表示しておくならば、使用者が底縁部１０Ａ１、１０Ｂ１を折り曲げて支持バンド１２、１２を構成することを容易に把握できるので、組み立て易く、使いやすい特徴を有する。
【００２８】
図１に示す状態からハンドル部材１９を把持して持ち上げることにより、収容容器２の底面を支持バンド１２，１２が支え、収容容器２を筒型の側壁部１０が覆うので、収容容器２を安定支持することができる。
収容容器２に２Ｌなど、多量の液体を収容した状態で収容容器支持体１を持ち上げた場合、支持バンド１２、１２は２ｋｇ程度の荷重を支えることとなるので、支持バンド１２、１２はスリット１５の端部のアール部１５ａを介して下向きに引っ張られる。ここで、支持バンド１２からアール部１５ａを介し側壁部１０にねじり力と剪断力が付加されるが、これらの力が作用する領域は、アール部１５を有しているため、ねじり力と剪断力は一点に集中されることなく、アール部１５ａに沿った領域に分散される。この結果、支持バンド１２の付け根の部分が破断するおそれを無くすることができる。即ち、支持バンド１２の支持荷重を大きくできるので、支持バンド１２のアール部１５ａの部分に亀裂などを生じさせることなく、重量の大きな収容容器２を安定支持することができる。
【００２９】
なお、図１と図２に示す状態から、支持バンド１２、１２の折返し部分を図５に示す元の状態の底縁部１０Ａ１、１０Ｂ１に戻し、側面壁１０Ａ、１０Ｂに沿わせておくならば、側壁部１０の底部開口が解放されるので、収容容器２を収容容器支持体１から抜き出すことができる。
例えば、内容物を取り出した使用済みの収容容器２を収容容器支持体１から取り出し、別の未使用状態の収容容器２に交換し、底縁部１０Ａ１、１０Ｂ１を折り返して再度支持バンド１２、１２を構成することで収容容器支持体１を複数の収容容器２に対し繰り返し使用することができる。
また、収容容器２を収容容器支持体１から取り外した状態において、収容容器支持体１は折返し部１０ａ、１０ａを両端側として１枚の平板状に折り畳むことができるので、収容や搬送に便利であり、複数重ねて搬送することや収容する場合に有利な形態とすることができる。また、収容容器支持体１を折り畳む場合、ハンドル部材１９を係止している係止孔１７、１８の内部において側面壁１０Ｂ側にのみハンドル部材１９が位置するので、平板状に折り畳んだ場合にハンドル部材１９の厚さ方向を側面壁１０Ｂの厚さ方向に沿わせることができ、ハンドル部材１９が収容容器支持体１を折り畳む場合に邪魔にならない。
【産業上の利用可能性】
【００３０】
本考案に係る収容容器支持体は、数リットル程度の比較的大量の経口洗浄剤および経腸栄養剤等の取り扱いに好適であり、医療分野、あるいは、粉体やゾルゲルなどを収容容器２に収容して利用する分野において広く利用可能である。
【符号の説明】
【００３１】
１…収容容器支持体、２…収容容器、３…底壁、５…周壁、６…注出入部、７…筒部、１０…側壁部、１０Ａ、１０Ｂ…側面壁、１０Ａ１、１０Ｂ１…底縁部、１０ａ…折返し部、１２…支持バンド、１３…係止片、１３Ａ…延出片、１３Ｂ…係止片、１５…スリット、１５ａ…アール部、１５ｂ…折曲部、１７、１８…係止孔、１９…ハンドル部材（把持部）、２０…樹脂シート、２２、２３…溶着領域。
【図１】
0003176014.tif 000003
【図２】
0003176014.tif 000004
【図３】
0003176014.tif 000005
【図４】
0003176014.tif 000006
【図５】
0003176014.tif 000007